(57)【要約】【課題】無線端末の在圏エリアに存在する複数の基地局から最適な基地局を選択し、最適な経路によって呼接続を行うこと。【解決手段】接続可能な複数の基地局２によるセルが重なり合っている状況において、無線端末１は、それら接続可能な複数の基地局２に関する情報を含む周辺基地局リスト１５を作成して保持し、その周辺基地局リスト１５の情報を作成または更新する周辺基地局リスト編集部１４を有する。この周辺基地局リスト１５には、基地局２毎に、無線端末１からの発信を受け付け可能かであるか否かを表す受付可否の情報１５２が含まれている。そして、周辺基地局リスト１５は、無線端末１が発呼を行うとき、または定期的に、作成または更新される。無線端末１は、周辺基地局リスト１５から接続先として最適な基地局２を選択し、その基地局２に対して呼接続を行う。【選択図】図１
2007096522.tif 000002
【特許請求の範囲】
【請求項１】
無線端末と基地局を無線回線により相互に接続する無線接続方式において、
前記無線端末は、同無線端末に電波が届く範囲にある１以上の基地局について、同無線端末から発信された信号を受け付け可能な状態であるか否かという情報を記憶する周辺基地局リストと、
前記周辺基地局リストを更新する周辺基地局リスト編集部と、
を備えており、
前記無線端末は、前記周辺基地局リストに基づいて、同無線端末の発信信号を受け付け可能な状態にある基地局を選択し、その選択された基地局に対して接続を行うことを特徴とする無線接続方式。
【請求項２】
前記無線端末は、複数の基地局に対して同時に信号を送信する同報通知部をさらに備えており、
前記無線端末は、前記同報通知部により、同時に複数の基地局に対して、同無線端末の発信信号を受け付け可能な状態にあるか否かを問い合わせることを特徴とする請求項１に記載の無線接続方式。
【請求項３】
前記無線端末は、基地局への問い合わせに対する基地局からの応答を待つ時間を制御するタイマ制御部をさらに備えており、
前記無線端末は、前記同報通知部からの同報通知による基地局への問い合わせに対して、前記タイマ制御部により制御される所定の期間内に、同無線端末の発信信号を受け付け可能な状態にあることを応答してきた複数の基地局の中から、電波状態の良好な基地局を接続先に選択することを特徴とする請求項２に記載の無線接続方式。
【請求項４】
前記無線端末は、基地局ごとに同無線端末の発信信号を受け付け可能な状態にあるか否かを監視する基地局状態監視部をさらに備えており、
前記基地局状態監視部は、周期的に基地局に対して、同無線端末の発信信号を受け付け可能な状態にあるか否かを問い合わせ、その問い合わせに対する基地局からの応答に基づいて、前記周辺基地局リストを更新することを特徴とする請求項１〜３のいずれか一つに記載の無線接続方式。
【請求項５】
前記無線端末は、基地局との通信中にセルの電波状態を監視し、接続中の基地局から別の基地局に接続先を切り替える電波状態監視部をさらに備えており、
前記電波状態監視部は、基地局に対して、同無線端末の発信信号を受け付け可能な状態にあるか否かを問い合わせ、その問い合わせに対して、同無線端末の発信信号を受け付け可能な状態にあることを応答してきた基地局を選択し、その選択された基地局に対して新たに接続を行うことを特徴とする請求項１〜４のいずれか一つに記載の無線接続方式。
【発明の詳細な説明】
【技術分野】
【０００１】
この発明は、無線接続方式に関し、特に基地局や無線制御装置などより構築される移動無線網において適当な基地局を選択し、その選択された基地局と移動可能な無線端末とを相互に無線回線により接続する無線接続方式に関する。
【背景技術】
【０００２】
従来、移動無線網における基地局や無線制御装置は、無線端末に対して、下り方向の共通チャネルによってシステムやセルに関する種々の情報を報知情報として送信している。一方、無線端末は、基地局から発せられた電波を受信し、その受信強度を測定して閾値以上の受信強度を検出する。そして、無線端末は、報知情報に含まれている規制情報や、閾値以上の受信強度で受信可能な基地局の検出結果に基づいて、在圏エリアにおいて呼接続が可能な適当な基地局を発信先基地局として選択し、その基地局に対して発呼動作を行う。
【０００３】
一方、基地局および無線制御装置は、無線端末から発せられた発呼要求を受け付けると、必要なリソースを確保して、コアネットワークと無線端末との接続制御を行う。そして、基地局や無線制御装置が無線端末に接続応答を通知することによって、呼接続が確立する。
【０００４】
以下の移動体通信技術が公知である。移動体通信の交換制御を行う制御局と、この制御局と接続されてなる複数の無線基地局と、各無線基地局の無線ゾーン内で該無線基地局を介して通信する複数の移動局とを備えた移動体通信システムにおいて、上記各無線基地局から移動局への下り制御チャンネル信号に、重なる無線ゾーンを輻湊制御するための報知信号を有する輻湊制御信号フレームを設け、上記移動局は、上記報知信号に基づいて捕捉する無線基地局の無線ゾーンを決定することを特徴とする（例えば、特許文献１参照。）。
【０００５】
また、以下の携帯電話装置が公知である。サービスエリアを互いに一部重複した基地局対応の複数の無線ゾーンに分割し、該無線ゾーン毎に基地局および移動局間の無線チャネルとして通信を行うためのチャネルの他に通信の接続制御を専用に行うための互いに干渉しない制御チャネルを割当て、発呼、着呼および位置登録時に制御チャネルを選択する移動通信システムの移動局に用いられる携帯電話装置において、制御チャネルを順次切替えて受信し、受信レベルの強度を比較して最大レベルで受信できる基地局を最適な発信先基地局とし、接続制御を行うとともに、最大レベルで受信した基地局との間で接続制御が失敗した場合に、次に高いレベルで受信した基地局に順次切替えて接続制御を再度行うことを特徴とする（例えば、特許文献２参照。）。
【０００６】
【特許文献１】特開平９−２３４７１号公報
【特許文献２】特開平９−２２４２８１号公報
【発明の開示】
【発明が解決しようとする課題】
【０００７】
しかしながら、従来の接続方式では、無線制御装置を含む移動無線網側で輻輳や障害などが発生すると、呼接続に必要なリソースを確保できないため、呼接続ができないという問題点がある。また、移動無線網側から無線端末に応答がない場合、無線端末は、一定時間経過した後に再び基地局に対して発呼要求を行う。そのため、移動無線網側で一時的にリソースが不足していることなどが原因で移動無線網側から無線端末に応答を返せない場合には、発呼が完了するまでに時間がかかるという問題点がある。
【０００８】
さらに、一時的なリソースの不足など、移動無線網内の状態によって発呼ができないことを無線端末に認識させる手段がないため、無線端末が呼接続できないと判断するまでに時間がかかるという問題点がある。また、接続可能な複数の基地局があり、それらの基地局によるセルが重なり合っている場合には、各基地局のリソースを利用することができる。つまり、無線端末と基地局との呼接続に複数のリソースを利用できる状況にある。このような状況において、ある基地局に対して最初の呼接続を行い、その失敗を検出してから他の基地局に対して再接続処理を実施するため、呼接続が完了するまでに時間がかかるという問題点がある。
【０００９】
この発明は、上述した従来技術による問題点を解消するため、無線端末の在圏エリアに存在する複数の基地局から最適な基地局を選択し、最適な経路によって呼接続を行う無線接続方式を提供することを目的とする。
【課題を解決するための手段】
【００１０】
上述した課題を解決し、目的を達成するため、本発明にかかる無線接続方式は、以下の特徴を有する。接続可能な複数の基地局によるセルが重なり合っている状況において、無線端末は、それら接続可能な複数の基地局（以下、周辺基地局とする）に関する情報を含む周辺基地局リストを作成して保持し、その周辺基地局リストの情報を作成または更新する周辺基地局リスト編集部を有する。この周辺基地局リストには、基地局毎に、無線端末からの発信を受け付け可能であるか否かを表す受付可否情報が含まれている。そして、この周辺基地局リストは、無線端末が発呼を行うとき、または定期的に、作成または更新される。
【００１１】
無線端末が発呼を行う際には、周辺基地局リストを参照し、周辺基地局に対して発呼可否を同報通知する。周辺基地局は、無線端末からの同報通知を受信し、自装置配下のセルが発呼を受け付け可能であるか否かを判定し、受け付け可能であれば上位装置である無線制御装置に対して、発呼可否を同報通知する。無線制御装置は、基地局からの同報通知を受信し、自装置が発呼を受け付け可能であるか否かを判定し、受け付け可能であれば基地局に応答を返す。
【００１２】
基地局は、無線制御装置からの応答を受信し、受け付け可能であれば無線端末に応答を返す。無線端末は、基地局からの応答を受信し、その応答に基づいて、該当する基地局に関する情報を更新する。そして、無線端末は、その更新された情報に基づいて、今回の発呼に使用する基地局を選択し、その選択した基地局に向けて呼接続を開始する。
【００１３】
この発明によれば、無線端末は、最新状態に更新されている周辺基地局に関する情報を参照することによって、移動無線網内の無線制御装置や基地局の障害や輻輳などが原因で呼接続に必要なリソースを確保できない特定の基地局を避けて、呼接続に必要なリソースを確保できる基地局に向けて呼接続を開始することができる。従って、呼接続失敗に伴うユーザの発信遅延を発生させることがないので、ユーザに安定したサービスを提供することができる。
【００１４】
また、無線端末の在圏エリアにおいて発呼が集中する場合に、発呼前に特定の無線制御装置や基地局に対する負荷が上昇するのを回避することができる。従って、移動無線網内の無線制御装置や基地局において輻輳が発生するのを低減できるので、移動無線網として安定したサービスを提供することができる。
【発明の効果】
【００１５】
本発明にかかる無線接続方式によれば、無線端末の在圏エリアに存在する複数の基地局から最適な基地局を選択し、最適な経路によって呼接続を行うことができるという効果を奏する。
【発明を実施するための最良の形態】
【００１６】
以下に添付図面を参照して、この発明にかかる無線接続方式の好適な実施の形態を詳細に説明する。
【００１７】
（実施の形態１）
図１は、本発明の実施の形態１にかかる無線接続方式の構成を模式的に示す図である。図１において、１は携帯電話機などの移動可能な無線端末であり、２は無線端末１と相互に無線接続される基地局であり、３は無線回線の回線接続やハンドオーバなどの制御を行う無線制御装置である。無線制御装置３は、コアネットワーク４および図示しないゲートウェイ装置を介して、インターネットやイントラネット、および他の移動無線網や固定網などに接続される。
【００１８】
無線端末１は、同報通知部１１、信号受信部１２、発呼部１３、周辺基地局リスト編集部１４および周辺基地局リスト１５を備えている。同報通知部１１は、無線端末１が発呼する際に、周辺基地局に関する情報を収集するために、周辺基地局に対して同報通知を行う。信号受信部１２は、基地局２から発信された信号を受信する。発呼部１３は、基地局２に対して発呼動作を行う。周辺基地局リスト編集部１４は、周辺基地局リスト１５を編集して更新する。
【００１９】
図１において右下の図は、周辺基地局リスト１５の内部構成を示す図である。周辺基地局リスト１５は、無線端末１に電波が届く範囲にある１以上の基地局２、ここでは基地局Ａ、基地局Ｂ、基地局Ｃ、・・・のそれぞれについて、応答時間の情報１５１、受付可否の情報１５２およびセル情報を記憶している。応答時間の情報１５１とは、無線端末１と基地局２が通信する際にどれくらいの応答時間がかかるかということを表す情報である。
【００２０】
受付可否の情報１５２とは、無線端末１から発信された信号を基地局２で受け付け可能であるか否かということを表す情報である。セル情報には、各基地局２が管理するセルにおいて、無線端末１と基地局２が通信する際の電波の状況を表す電波状況の情報１５３と、無線端末１と基地局２が通信する際の帯域の使用状況を表す帯域使用状況の情報１５４が含まれている。
【００２１】
基地局２は、無線端末アクセス部２１、自装置状態確認部２２および無線制御装置アクセス部２３を備えている。無線端末アクセス部２１は、無線端末１との間で信号を送受信する。自装置状態確認部２２は、自装置において無線端末１の発呼を受け付け可能であるか否かということや、セルの情報を確認する。無線制御装置アクセス部２３は、無線制御装置３との間で信号を送受信する。
【００２２】
無線制御装置３は、基地局アクセス部３１および自装置状態確認部３２を備えている。基地局アクセス部３１は、基地局２との間で信号を送受信する。自装置状態確認部３２は、自装置において無線端末１の発呼を受け付け可能であるか否かということを確認する。
【００２３】
次に、実施の形態１にかかる無線接続方式における呼接続動作について説明する。以下の説明においては、基地局Ａ、基地局Ｂおよび基地局Ｃはいずれも上述した基地局２であるが、各基地局を区別して説明する必要があるので、基地局Ａ、基地局Ｂおよび基地局Ｃの符号をそれぞれ２ａ、２ｂおよび２ｃとする。また、無線制御装置Ａ、無線制御装置Ｂおよび無線制御装置Ｃはいずれも上述した無線制御装置３であるが、それぞれ無線制御装置Ａ３ａ、無線制御装置Ｂ３ｂおよび無線制御装置Ｃ３ｃとして区別する。
【００２４】
さらに、無線制御装置Ａ３ａは、基地局Ａ２ａと基地局Ｂ２ｂの上位装置であり、無線制御装置Ｂ３ｂは、基地局Ｂ２ｂと基地局Ｃ２ｃの上位装置であり、無線制御装置Ｃ３ｃは基地局Ｃ２ｃの上位装置であるとする。これらの事柄は、実施の形態２以降においても同じである。
【００２５】
図２は、実施の形態１の呼接続動作を説明するための移動無線網の構成例を示す図である。図２に示すように、例えば、無線端末１の在圏エリアは、基地局Ａ２ａによるセルＡ５ａと基地局Ｂ２ｂによるセルＢ５ｂと基地局Ｃ２ｃによるセルＣ５ｃからなるエリアである。そして、図示例では、無線端末１は、Ａ、ＢおよびＣのいずれの基地局２ａ、２ｂ、２ｃからも電波が届き得る所、すなわちセルＡ５ａとセルＢ５ｂとセルＣ５ｃが重なり合う範囲にいる。
【００２６】
基地局Ａ２ａ、基地局Ｂ２ｂおよび基地局Ｃ２ｃは、それぞれ制御チャネルを用いて無線端末１に基地局識別子（ＢＳ−ＩＤ）を通知する。無線端末１は、その基地局識別子（ＢＳ−ＩＤ）によって、自端末を制御する基地局を識別することができる。そして、無線端末１は、自端末を制御する複数の基地局に関する情報を周辺基地局リスト１５として作成する。
【００２７】
図３は、実施の形態１の呼接続動作の概要を示す図である。図３に示すように、無線端末１は、発呼を行う際、すべての周辺基地局、ここでは基地局Ａ２ａ、基地局Ｂ２ｂおよび基地局Ｃ２ｃに接続開始要求を同報通知する（図３の１．接続開始要求）。基地局Ａ２ａ、基地局Ｂ２ｂおよび基地局Ｃ２ｃは、無線端末１の同報通知を受信すると、それぞれの配下のセルＡ５ａ、セルＢ５ｂおよびセルＣ５ｃが発呼を受け付け可能であるか否かを判定する（図３の２．受付可否判定）。
【００２８】
実施の形態１では、基地局Ｂ２ｂが輻輳状態にあり、無線制御装置Ｂ３ｂに障害が発生しているとする。この場合、基地局Ａ２ａと基地局Ｃ２ｃは発呼を受け付け可能な状態であるので、基地局Ａ２ａは無線制御装置Ａ３ａに対して、また基地局Ｃ２ｃは無線制御装置Ｂ３ｂと無線制御装置Ｃ３ｃに対して、発呼を受け付け可能であるか否かの判定を行うように同報通知する（図３の３．上位受付可否判定）。輻輳状態にある基地局Ｂ２ｂは、発呼を受け付けられないので、無線制御装置Ａ３ａおよび無線制御装置Ｂ３ｂに対して同報通知を行わない。
【００２９】
無線制御装置Ａ３ａ、無線制御装置Ｂ３ｂおよび無線制御装置Ｃ３ｃは、基地局Ａ２ａおよび基地局Ｃ２ｃの同報通知を受信すると、自装置が発呼を受け付け可能であるか否かを判定する。無線制御装置Ａ３ａと無線制御装置Ｃ３ｃは発呼を受け付け可能な状態であるので、無線制御装置Ａ３ａは基地局Ａ２ａに対して、また無線制御装置Ｃ３ｃは基地局Ｃ２ｃに対して、受付応答を通知する（図３の４．受付応答）。無線制御装置Ｂ３ｂは障害状態であるので、応答なしとなる。
【００３０】
基地局Ａ２ａおよび基地局Ｃ２ｃは、無線制御装置Ａ３ａおよび無線制御装置Ｃ３ｃの受付応答を受信し、それぞれの制御装置が発呼を受け付け可能な状態にあれば、無線端末１に接続開始応答を通知する（図３の５．接続開始応答）。実施の形態１では、基地局Ｃ２ｃからの接続開始応答が最初に無線端末１に通知されるとする。無線端末１は、基地局Ｃ２ｃの接続開始応答を受信すると、基地局Ｃ２ｃから接続開始応答を受信したことを記憶する。
【００３１】
そして、無線端末１は、最初に接続開始応答を通知してきた基地局Ｃ２ｃを発呼先基地局に選択する（図３の６．発呼先基地局選択）。また、無線端末１は、基地局Ａ２ａの接続開始応答を受信すると、基地局Ａ２ａから接続開始応答を受信したことも記憶しておく。そして、無線端末１は、発呼先基地局に選択した基地局Ｃ２ｃに対して呼接続を開始する（図３の７．発呼動作）。呼接続が確立すると、無線端末１は、基地局Ｃ２ｃおよび無線制御装置Ｃ３ｃを介してコアネットワーク４に接続される。
【００３２】
図４は、実施の形態１の呼接続動作シーケンスを示す図である。図４を参照しながら、呼接続動作のシーケンスを詳細に説明する。ここでは、図３に示す呼接続動作の概要例に沿って説明する。なお、図４では、図が繁雑になるのを避けるため、基地局Ａ２ａ、基地局Ｂ２ｂの詳細な構成、無線制御装置Ａ３ａおよび無線制御装置Ｂ３ｂは省略されている。
【００３３】
図４に示すように、無線端末１は、発呼とは関係なく、予め、自端末を制御する基地局Ａ２ａ、基地局Ｂ２ｂおよび基地局Ｃ２ｃを識別し、各基地局に関する情報を周辺基地局リスト１５（図４では省略されている）として作成している。無線端末１が発呼を行う場合、無線端末１において、発呼部１３は同報通知部１１に、周辺基地局に接続開始要求を同報通知するように指示する（ステップＳ１）。
【００３４】
同報通知部１１は、発呼部１３からの指示を受け取ると、周辺基地局リスト１５を参照し、周辺基地局リスト１５にあるすべての基地局、ここでは基地局Ａ２ａ、基地局Ｂ２ｂおよび基地局Ｃ２ｃに対して接続開始要求を同報通知する（ステップＳ２）。基地局Ａ２ａ、基地局Ｂ２ｂおよび基地局Ｃ２ｃでは、それぞれの無線端末アクセス部２１によって無線端末１からの同報通知を受信する。これ以降は、基地局Ｃ２ｃおよび無線制御装置Ｃ３ｃについて説明するが、基地局Ａ２ａおよび無線制御装置Ａ３ａ、基地局Ｂ２ｂおよび無線制御装置Ｂ３ｂについても同様である。
【００３５】
無線端末アクセス部２１は、無線端末１からの同報通知を受信すると、自装置状態確認部２２に自装置の状態を確認するように依頼する（ステップＳ３）。自装置状態確認部２２は、その確認依頼を受け取ると、自装置配下のセルＣ５ｃが発呼を受け付け可能であるか否かを判定する。判定の結果、発呼を受け付けられない場合には、基地局Ｃ２ｃに対する接続開始要求を破棄する（ステップＳ４）。図３に示す概要例では、基地局Ｂ２ｂが輻輳状態にあり、発呼を受け付けられない状況にあるので、基地局Ｂ２ｂに対する接続開始要求が破棄される。これ以降は、基地局Ｃ２ｃおよび無線制御装置Ｃ３ｃと、基地局Ａ２ａおよび無線制御装置Ａ３ａに関する説明となる。
【００３６】
一方、発呼を受け付けられる場合には、自装置状態確認部２２は、無線制御装置アクセス部２３に発呼の受け付けが可能であることを通知する（ステップＳ５）。無線制御装置アクセス部２３は、発呼の受け付けが可能であるという通知を受け取ると、無線制御装置Ｃ３ｃに対して、発呼を受け付け可能であるか否かの判定を行うように通知する（ステップＳ６）。
【００３７】
無線制御装置Ｃ３ｃでは、基地局アクセス部３１は、基地局Ｃ２ｃからの通知を受け取ると、自装置状態確認部３２に自装置の状態を確認するように依頼する（ステップＳ７）。自装置状態確認部３２は、基地局アクセス部３１からの確認依頼を受け取ると、発呼を受け付け可能であるか否かを判定する。判定の結果、発呼を受け付けられない場合には、基地局Ｃ２ｃに対する接続開始要求を破棄する（ステップＳ８）。
【００３８】
一方、発呼を受け付けられる場合には、自装置状態確認部３２は、基地局アクセス部３１に発呼の受け付けが可能であることを通知する（ステップＳ９）。基地局アクセス部３１は、自装置状態確認部３２からの通知を受け取ると、基地局Ｃ２ｃに対して、応答を返す（ステップＳ１０）。
【００３９】
基地局Ｃ２ｃでは、無線制御装置アクセス部２３は、無線制御装置Ｃ３ｃからの応答を受け取ると、無線端末アクセス部２１に、無線制御装置Ｃ３ｃが発呼を受け付け可能であることを通知する（ステップＳ１１）。無線端末アクセス部２１は、無線制御装置アクセス部２３からの通知を受け取ると、無線端末１に接続開始応答を行う（ステップＳ１２）。
【００４０】
無線端末１では、信号受信部１２は、基地局Ｃ２ｃからの接続開始応答を受信すると、周辺基地局リスト編集部１４に接続開始応答を受信したことを通知する（ステップＳ１３）。周辺基地局リスト編集部１４は、信号受信部１２からの通知を受け取ると、基地局Ｃ２ｃの受付可否の情報１５２を作成し、周辺基地局リスト１５を作成（更新）する。無線端末１は、基地局Ｃ２ｃからだけでなく、障害や輻輳などがなく、正常であれば、基地局Ａ２ａからも接続開始応答を受信する。従って、周辺基地局リスト１５の基地局Ａ２ａの情報も更新される。また、周辺基地局リスト１５の基地局Ｂ２ｂの情報に関しては、受付可否の情報１５２が受け付け不可能に更新される。
【００４１】
また、周辺基地局リスト編集部１４は、周辺基地局リスト１５の更新とともに、周辺基地局リスト１５から発呼先基地局として最適な基地局、ここでは最初に接続開始応答を通知してきた基地局Ｃ２ｃを選択し、その基地局に関する情報、例えば通信レートなどの通信条件を発呼部１３に通知する（ステップＳ１４）。実施の形態１では、最初に接続開始応答を通知してきた基地局を発呼先基地局に選択する。基地局Ｃ２ｃから最初に接続開始応答が通知されたとすると、発呼部１３は、基地局Ｃ２ｃに向けて発呼接続要求を送信し（ステップＳ１５）、基地局Ｃ２ｃに対する呼接続を開始する。
【００４２】
実施の形態１によれば、呼接続に必要なリソースを確保できる基地局に向けて呼接続を開始することができるので、従来のように呼接続が失敗することがなくなり、呼接続が成功するまでの時間が短縮される。また、無線端末１の在圏エリアにおいて特定の無線制御装置や基地局に対する負荷が上昇するのを回避することができるので、無線制御装置３や基地局２において輻輳が発生するのを減らすことができる。従って、ユーザに安定したサービスを提供することができる。
【００４３】
（実施の形態２）
図５は、本発明の実施の形態２にかかる無線接続方式における無線端末の構成を模式的に示す図である。図５に示すように、実施の形態２は、実施の形態１において、無線端末１にタイマ制御部１６を追加したものである。タイマ制御部１６は、無線端末１が発呼を行う際に、周辺基地局に接続開始要求を同報通知した後、周辺基地局から接続開始応答が返されてくるのを待つ時間を制御する。その他の構成は、実施の形態１と同じであるので、同一の符号を付して説明を省略する。
【００４４】
次に、実施の形態２にかかる無線接続方式における呼接続動作について説明する。以下の説明では、実施の形態１と異なる動作についてのみ説明する。図６は、実施の形態２の呼接続動作シーケンスを示す図である。ここでは、実施の形態１と同様に、図３に示す呼接続動作の概要例に沿って説明する。なお、図６では、図が繁雑になるのを避けるため、基地局Ｂ２ｂと基地局Ｃ２ｃの詳細な構成、無線制御装置Ａ３ａ、無線制御装置Ｂ３ｂおよび無線制御装置Ｃ３ｃは省略されている。
【００４５】
図６に示すように、無線端末１は、予め、自端末を制御する基地局Ａ２ａ、基地局Ｂ２ｂおよび基地局Ｃ２ｃを識別し、各基地局に関する情報を周辺基地局リスト１５（図６では省略されている）として作成している。無線端末１が発呼を行う場合、無線端末１において、発呼部１３は同報通知部１１に、周辺基地局に接続開始要求を同報通知するように指示する（ステップＳ２１）。
【００４６】
同報通知部１１は、発呼部１３からの指示を受け取ると、タイマ制御部１６にタイマ開始要求を通知する（ステップＳ２２）。タイマ制御部１６は、発呼部１３からのタイマ開始要求を受け取ると、一定時間のタイマを設定する。その設定値は、例えば２秒である。
【００４７】
続いて、同報通知部１１は、周辺基地局リスト１５を参照し、基地局Ａ２ａ、基地局Ｂ２ｂおよび基地局Ｃ２ｃに対して接続開始要求を同報通知する（ステップＳ２３）。基地局Ａ２ａ、基地局Ｂ２ｂおよび基地局Ｃ２ｃでは、それぞれの無線端末アクセス部２１によって無線端末１からの同報通知を受信する。
【００４８】
各基地局の無線端末アクセス部２１は、無線端末１からの同報通知を受信すると、自装置状態確認部２２に自装置の状態を確認するように依頼する（ステップＳ２４）。各基地局の自装置状態確認部２２は、その確認依頼を受け取ると、自装置配下のセルが発呼を受け付け可能であるか否かを判定する。これ以降は、実施の形態１のシーケンス動作におけるステップＳ４〜ステップＳ１１と同じであるので、説明を省略し、ステップＳ２５から説明を続ける。
【００４９】
無線端末１では、信号受信部１２は、基地局Ａ２ａと基地局Ｃ２ｃから接続開始応答を受信する（ステップＳ２５）と、周辺基地局リスト編集部１４に接続開始応答を受信したことを通知する（ステップＳ２６）。周辺基地局リスト編集部１４は、応答があった基地局Ａ２ａと基地局Ｃ２ｃについて、タイマ制御部１６に応答時間を確認し（ステップＳ２７）、タイマ制御部１６から応答時間情報を取得する。そして、周辺基地局リスト編集部１４は、基地局Ａ２ａと基地局Ｃ２ｃのそれぞれについて、応答時間の情報１５１と電波状況の情報１５３を作成し、周辺基地局リスト１５を作成（更新）する。
【００５０】
タイマが満了すると、タイマ制御部１６は、発呼部１３にタイマ完了を通知する（ステップＳ２８）。発呼部１３は、タイマ制御部１６からのタイマ完了通知を受け取ると、周辺基地局リスト編集部１４に対して接続基地局の確認を依頼する。周辺基地局リスト編集部１４は、発呼部１３からの依頼を受け取ると、周辺基地局リスト１５を参照する。そして、周辺基地局リスト編集部１４は、電波状態のよい基地局、または応答時間の短い基地局、例えば基地局Ａ２ａを選択して、発呼部１３に通知する（ステップＳ２９）。発呼部１３は、周辺基地局リスト編集部１４からの通知を受け取ると、基地局Ａ２ａに向けて発呼接続要求を送信し（ステップＳ３０）、基地局Ａ２ａに対する呼接続を開始する。
【００５１】
実施の形態２によれば、実施の形態１と同様の効果が得られる。また、電波状態のよい基地局、または応答時間の短い基地局を選択して呼接続を行うので、呼接続が成功するまでの時間がさらに短縮される。
【００５２】
（実施の形態３）
図７は、本発明の実施の形態３にかかる無線接続方式における無線端末の構成を模式的に示す図である。図７に示すように、実施の形態３は、実施の形態１において、無線端末１に基地局状態監視部１７を追加したものである。基地局状態監視部１７は、周期的に周辺基地局に対して状態確認要求を送信し、それに対する応答を受け取ることによって周辺基地局リスト１５を更新して最新の状態に保つ。その他の構成は、実施の形態１と同じであるので、同一の符号を付して説明を省略する。
【００５３】
次に、実施の形態３にかかる無線接続方式における呼接続動作について説明する。以下の説明では、実施の形態１と異なる動作についてのみ説明する。図８は、実施の形態３の呼接続動作の概要を示す図である。図８に示すように、無線端末１は、周期的に周辺基地局に対して状態を確認する要求を行う（図８の１．状態確認）。基地局Ａ２ａ、基地局Ｂ２ｂおよび基地局Ｃ２ｃは、無線端末１からの要求を受信すると、自装置の障害状況、輻輳状況および回線使用率などを参照して呼接続を受け付け可能な状態であるか否かを判定する。
【００５４】
基地局Ａ２ａは、呼接続を受け付け可能な状態にあるので、無線制御装置Ａ３ａに対して、呼接続を受け付け可能であるか否かの判定を行うように要求する（図８の２．状態確認）。基地局Ｃ２ｃについても同様である。実施の形態３では、基地局Ｂ２ｂが輻輳状態にあり、無線制御装置Ｂ３ｂに障害が発生しているため、基地局Ｂ２ｂは無線制御装置Ｂ３ｂに対して、呼接続を受け付け可能であるか否かの判定を行う要求をしない。
【００５５】
無線制御装置Ａ３ａは、基地局Ａ２ａからの呼接続の受け付け可否要求を受け取ると、自装置の障害状況、輻輳状況および回線使用率などを参照して呼接続を受け付け可能な状態であるか否かを判定する。その結果、呼接続を受け付け可能な状態にあれば、基地局Ａ２ａに対して、呼接続の受け付け可能状態、通信中の無線端末１の数、回線の空き容量および提供可能なサービスリストなどの情報を通知する（図８の３．状態通知）。基地局Ｃ２ｃおよび無線制御装置Ｃ３ｃについても同様である。
【００５６】
基地局Ａ２ａは、無線制御装置Ａ３ａから受け付け可能状態などの通知を受信すると、無線端末１に状態確認応答を通知する（図８の４．状態通知）。基地局Ｃ２ｃについても同様である。ここで、基地局Ａ２ａまたは基地局Ｃ２ｃから無線端末１に通知される情報には、呼接続を受け付け可能な状態にあること、配下のセルの電波状態、利用可能な帯域、通信中の無線端末１の数、回線の空き容量および提供可能なサービスリストなどの情報が含まれている。
【００５７】
無線端末１は、基地局Ａ２ａまたは基地局Ｃ２ｃからの状態確認応答を受信すると、周辺基地局リスト１５を更新する（図８の５．周辺基地局リストの更新）。また、無線端末１は、最新状態に更新された周辺基地局リスト１５に基づいて、発呼接続時に利用するサービスに応じて最適な経路となる最優先基地局を選択する（図８の６．電波状態などにより最優先基地局を選択）。
【００５８】
ここでは、基地局Ｃ２ｃが最優先基地局であるとする。無線端末１は、発呼する場合に、最優先基地局である基地局Ｃ２ｃに対して発呼要求を行う（図８の７．発呼動作）。実施の形態３では、無線端末１が発呼する際に、周辺基地局リスト１５が既に更新されているので、無線端末１は、実施の形態１のように周辺基地局に対して同報通知を行わなくてもよい。
【００５９】
図９は、実施の形態３の呼接続動作シーケンスを示す図である。ここでは、図８に示す呼接続動作の概要例に沿って説明する。なお、図９では、図が繁雑になるのを避けるため、基地局Ｂ２ｂ、基地局Ｃ２ｃ、無線制御装置Ｂ３ｂおよび無線制御装置Ｃ３ｃは省略されている。また、ここでは、基地局Ａ２ａおよび無線制御装置Ａ３ａについて説明するが、基地局Ｂ２ｂおよび無線制御装置Ｂ３ｂ、基地局Ｃ２ｃおよび無線制御装置Ｃ３ｃについても同様である。
【００６０】
図９に示すように、無線端末１は、予め、自端末を制御する基地局Ａ２ａ、基地局Ｂ２ｂおよび基地局Ｃ２ｃを識別し、各基地局に関する情報を周辺基地局リスト１５（図９では省略されている）として作成している。無線端末１は、周辺基地局リスト１５に基づいて、周期的に周辺基地局に対して状態確認要求を行う（ステップＳ４１）。
【００６１】
基地局Ａ２ａでは、無線端末アクセス部２１は、無線端末１からの状態確認要求を受信し、自装置状態確認部２２に自装置の状態を確認するように依頼する（ステップＳ４２）。自装置状態確認部２２は、その確認依頼を受け取ると、自装置の障害状況、輻輳状況および回線使用率などを参照して呼接続を受け付け可能であるか否かを判定する。
【００６２】
判定の結果、呼接続を受け付けられる場合には、自装置状態確認部２２は、無線制御装置アクセス部２３に呼接続の受け付けが可能であることを通知する（ステップＳ４３）。無線制御装置アクセス部２３は、呼接続の受け付けが可能であるという通知を受け取ると、無線制御装置Ａ３ａに対する上位確認として呼接続を受け付け可能であるか否かの判定を行うように通知する（ステップＳ４４）。
【００６３】
無線制御装置Ａ３ａでは、基地局アクセス部３１は、基地局Ａ２ａからの呼接続の受け付け可否要求を受け取ると、自装置状態確認部３２に自装置の状態を確認するように依頼する（ステップＳ４５）。自装置状態確認部３２は、基地局アクセス部３１からの確認依頼を受け取ると、自装置の障害状況、輻輳状況および回線使用率などを参照して呼接続を受け付け可能な状態であるか否かを判定する。
【００６４】
その結果、呼接続を受け付け可能な状態にあれば、自装置状態確認部３２は、基地局アクセス部３１に呼接続の受け付けが可能であることを通知する（ステップＳ４６）。基地局アクセス部３１は、自装置状態確認部３２からの通知を受け取ると、基地局Ａ２ａに対して、応答を返す（ステップＳ４７）。基地局Ａ２ａでは、無線制御装置アクセス部２３は、無線制御装置Ａ３ａからの応答を受け取ると、自装置状態確認部２２にその応答を通知する（ステップＳ４８）。
【００６５】
自装置状態確認部２２は、無線制御装置アクセス部２３からの応答を受け取ると、無線端末アクセス部２１に、呼接続を受け付け可能な状態にあること、配下のセルの電波状態、利用可能な帯域、通信中の無線端末１の数、回線の空き容量および提供可能なサービスリストなどの情報を通知する（ステップＳ４９）。無線端末アクセス部２１は、自装置状態確認部２２から上述した情報を受け取ると、無線端末１にその情報を通知する（ステップＳ５０）。
【００６６】
無線端末１では、信号受信部１２は、基地局Ａ２ａからの通知を受信すると、基地局状態監視部１７に応答を受信したことを通知する（ステップＳ５１）。基地局状態監視部１７は、信号受信部１２からの通知を受け取ると、基地局Ａ２ａの受付可否の情報１５２、電波状況の情報１５３および帯域使用状況の情報１５４を作成し、周辺基地局リスト１５を更新する。
【００６７】
無線端末１は、基地局Ａ２ａからだけでなく、障害や輻輳などがなく、正常であれば、基地局Ｃ２ｃからも各種情報の通知を受信する。従って、周辺基地局リスト１５の基地局Ｃ２ｃの情報も更新される。また、周辺基地局リスト１５の基地局Ｂ２ｂの情報に関しては、受付可否の情報１５２が受け付け不可能に更新される。基地局状態監視部１７は、最新状態に更新された周辺基地局リスト１５に基づいて、発呼接続時に利用するサービスに応じて最適な経路となる最優先基地局を選択する。ここまでの周辺基地局リスト１５の更新処理が周期的に繰り返される（周期起動）。
【００６８】
無線端末１が発呼を行う場合、発呼部１３は、周辺基地局リスト編集部１４に対して接続基地局の確認を依頼する。周辺基地局リスト編集部１４は、発呼部１３からの依頼を受け取ると、周辺基地局リスト１５を参照する。そして、周辺基地局リスト編集部１４は、最優先基地局に選択されている基地局を選択して、発呼部１３に通知する（ステップＳ５２）。発呼部１３は、周辺基地局リスト編集部１４からの通知を受け取ると、最優先基地局に選択されている基地局に向けて発呼接続要求を送信し（ステップＳ５３）、呼接続を開始する。
【００６９】
実施の形態３によれば、実施の形態１と同様の効果が得られる。また、周辺基地局リスト１５が常に最新の状態に更新され、最優先基地局が選択されていることによって、呼接続を行う際に周辺基地局リスト１５の更新を行う必要がないので、呼接続が成功するまでの時間がさらに短縮される。
【００７０】
（実施の形態４）
実施の形態４は、実施の形態１と同様の構成において、移動無線網側から無線端末１に各基地局や各無線制御装置の状態を通知するようにしたものである。実施の形態１と同様の構成については、同一の符号を付して説明を省略する。
【００７１】
実施の形態４にかかる無線接続方式における呼接続動作について説明する。以下の説明では、実施の形態１と異なる動作についてのみ説明する。ここでは、基地局Ｂ２ｂおよび無線制御装置Ｂ３ｂについて説明するが、基地局Ａ２ａおよび無線制御装置Ａ３ａ、基地局Ｃ２ｃおよび無線制御装置Ｃ３ｃについても同様である。
【００７２】
図１０は、実施の形態４の呼接続動作の概要を示す図である。図１０に示すように、無線制御装置Ｂ３ｂは、定期的に自装置状態確認部３２によって自装置が無線端末１からの呼接続を受け付け可能な状態にあるか否かを監視する。そして、無線制御装置Ｂ３ｂの自装置状態が、呼接続を受け付け可能な状態から受け付け不可能な状態に変化した場合（図１０の１．状態変化発生）、無線制御装置Ｂ３ｂは、基地局アクセス部３１を介して、すべての配下基地局、すなわち基地局Ｂ２ｂと基地局Ｃ２ｃに対して状態変化通知を行う（図１０の２．状態通知）。
【００７３】
無線制御装置Ｂ３ｂが呼接続を受け付け不可能な状態から受け付け可能な状態に変化した場合も同様である。ただし、受け付け可能な状態に変化した場合には、受け付け可能な状態であること、通信中の無線端末１の数、回線の空き容量および提供可能なサービスリストなどの情報も併せて通知するとよい。
【００７４】
基地局Ｂ２ｂでは、無線制御装置アクセス部２３は、無線制御装置Ｂ３ｂから状態変化通知を受信し、その状態変化通知を自装置状態確認部２２に転送して、無線端末１に対して状態の変化が起こったことを通知する必要があるか否かの判定を行うように指示する。自装置状態確認部２２は、上位無線制御装置の状態を記録したリストを保持している。自装置状態確認部２２は、無線制御装置アクセス部２３から転送されてきた状態変化通知を受け取ると、その状態変化通知の内容でリストを更新する。
【００７５】
さらに、自装置状態確認部２２は、そのリストを参照して、上位装置である無線制御装置Ａ３ａは既に障害発生により呼接続を受け付けられない状態にあり、かつもう一つの上位装置である無線制御装置Ｂ３ｂが呼接続を受け付けられない状態に変化したことを認識すると、無線端末１に対して状態の変化が起こったことを通知する必要があると判定する。そして自装置状態確認部２２は、無線端末アクセス部２１を介して、無線端末１に対して状態変化通知を行う（図１０の３．状態通知）。
【００７６】
無線制御装置Ｂ３ｂが呼接続を受け付け不可能な状態から受け付け可能な状態に変化した場合には、状態変化通知と同時に、受け付け可能な状態であること、配下のセルの電波の状態、利用可能な帯域、通信中の無線端末１の数、回線の空き容量および提供可能なサービスリストなどの情報を通知するとよい。基地局Ｃ２ｃについても同様である。基地局Ｃ２ｃには、呼接続を受け付け可能な状態の無線制御装置Ｃ３ｃが上位装置として存在するので、無線制御装置Ｂ３ｂが呼接続を受け付けられない状態に変化しても、無線端末１にはその状態変化を通知しない。
【００７７】
無線端末１では、信号受信部１２は、基地局Ｂ２ｂからの状態通知を受信し、周辺基地局リスト編集部１４は、その状態通知に基づいて周辺基地局リスト１５を更新する（図１０の４．周辺基地局リストの更新）。周辺基地局リスト１５の基地局Ｂ２ｂの情報に関しては、受付可否の情報１５２が受け付け不可能に更新される。また、無線端末１は、更新された周辺基地局リスト１５に基づいて、発呼接続時に利用するサービスに応じて最適な経路となる最優先基地局を選択する（図１０の５．電波状態などにより最優先基地局を選択）。
【００７８】
無線端末１は、発呼する場合に、最優先基地局である基地局Ｃ２ｃに対して発呼要求を行う（図１０の６．発呼動作）。実施の形態４では、無線端末１が発呼する際に、周辺基地局リスト１５が既に更新されているので、無線端末１は、実施の形態１のように周辺基地局に対して同報通知を行わなくてもよい。
【００７９】
実施の形態４によれば、実施の形態１と同様の効果が得られる。また、周辺基地局側から最新の状態が通知されることによって、呼接続を行う際に周辺基地局リスト１５の更新を行う必要がないので、呼接続が成功するまでの時間がさらに短縮される。
【００８０】
（実施の形態５）
実施の形態５は、実施の形態３または４と同様の構成において、実施の形態１のように無線端末１が発呼時に周辺基地局に対して同報通知を行う構成とした場合に、周辺基地局リスト１５の受付可否の情報１５２が受け付け不可能に設定されている基地局に対しては同報通知を行わないようにしたものである。実施の形態３または４と同様の構成については、同一の符号を付して説明を省略する。
【００８１】
実施の形態５にかかる無線接続方式における呼接続動作について説明する。以下の説明では、実施の形態３または４と異なる動作についてのみ説明する。図１１は、実施の形態５の呼接続動作の概要を示す図である。図１１に示すように、基地局Ｃ２ｃが輻輳状態にあり、無線制御装置Ｂ３ｂに障害が発生しているとする。そして、そのことが基地局Ｃ２ｃから無線端末１に通知されている（図１１の１．状態通知）。
【００８２】
無線端末１は、基地局Ｃ２ｃからの状態通知およびその他のすべての周辺基地局からの状態通知に基づいて、周辺基地局リスト１５を最新の状態に更新している（図１１の２．状態更新）。無線端末１が発呼を行う場合、無線端末１の発呼部１３からの指示により、同報通知部１１は周辺基地局リスト１５を参照し、基地局Ａ２ａと基地局Ｂ２ｂに対して、接続開始要求を同報通知する（図１１の３．呼接続要求）。
【００８３】
基地局Ｃ２ｃについては、周辺基地局リスト１５の受付可否の情報１５２が受け付け不可能に設定されているので、接続開始要求の同報通知を行わない。実施の形態５によれば、実施の形態１と同様の効果が得られる。
【００８４】
（実施の形態６）
図１２は、本発明の実施の形態６にかかる無線接続方式の構成を模式的に示す図である。図１２に示すように、実施の形態６は、実施の形態１において、無線端末１に帯域変更部１８を追加したものである。帯域変更部１８は、無線端末１が使用する帯域の変更を行う。その他の構成は、実施の形態１と同じであるので、同一の符号を付して説明を省略する。
【００８５】
次に、実施の形態６にかかる無線接続方式における帯域変更動作について説明する。以下の説明では、実施の形態１と異なる動作についてのみ説明する。図１３は、実施の形態６の帯域変更動作の概要を示す図である。図１３に示すように、無線端末１が使用帯域を変更する際には、無線端末１は、すべての周辺基地局、ここでは基地局Ａ２ａと基地局Ｂ２ｂと基地局Ｃ２ｃに対して、帯域を変更できるか否かを確認する要求を同報通知する（図１３の１．帯域変更可否確認要求）。
【００８６】
基地局Ａ２ａ、基地局Ｂ２ｂおよび基地局Ｃ２ｃは、無線端末１からの要求を受信すると、自装置配下のセルにおいて帯域変更が可能であるか否かを判定する（図１３の２．帯域変更可否判定）。実施の形態６では、基地局Ｂ２ｂが輻輳状態にあるため、基地局Ｂ２ｂでは帯域を変更できない。基地局Ａ２ａと基地局Ｃ２ｃでは帯域を変更できるので、基地局Ａ２ａおよび基地局Ｃ２ｃは、無線端末１に帯域を変更できるという応答を返す（図１３の３．帯域変更可能応答）。
【００８７】
無線端末１は、基地局Ａ２ａおよび基地局Ｃ２ｃからの応答を受信し、基地局Ａ２ａおよび基地局Ｃ２ｃについて帯域を変更できるか否かを判断する。そして、無線端末１は、帯域変更可能な基地局、ここでは基地局Ａ２ａを選択する（図１３の４．帯域変更先基地局選択）。そして、無線端末１は、基地局Ａ２ａに対して帯域の変更動作を開始する（図１３の５．帯域変更動作）。
【００８８】
図１４は、実施の形態６の帯域変更動作シーケンスを示す図である。ここでは、図１３に示す帯域変更動作の概要例に沿って説明する。なお、図１４では、図が繁雑になるのを避けるため、基地局Ｂ２ｂ、基地局Ｃ２ｃ、無線制御装置Ｂ３ｂおよび無線制御装置Ｃ３ｃは省略されている。また、ここでは、基地局Ａ２ａおよび無線制御装置Ａ３ａについて説明するが、基地局Ｂ２ｂおよび無線制御装置Ｂ３ｂ、基地局Ｃ２ｃおよび無線制御装置Ｃ３ｃについても同様である。
【００８９】
図１４に示すように、無線端末１は、予め、自端末を制御する基地局Ａ２ａ、基地局Ｂ２ｂおよび基地局Ｃ２ｃを識別し、各基地局に関する情報を周辺基地局リスト１５（図１４では省略されている）として作成している。無線端末１が使用帯域を変更する際には、まず、無線端末１の帯域変更部１８が同報通知部１１に帯域変更開始の要求を指示する（ステップＳ６１）。同報通知部１１は、帯域変更部１８からの指示を受け取ると、周辺基地局リスト１５を参照し、周辺基地局に対して帯域を変更できるか否かを確認する要求を同報通知する（ステップＳ６２）。
【００９０】
基地局Ａ２ａでは、無線端末アクセス部２１は、無線端末１からの帯域変更要求を受信し、自装置状態確認部２２に自装置の状態を確認するように依頼する（ステップＳ６３）。自装置状態確認部２２は、その確認依頼を受け取ると、自装置配下のセルにおいて帯域変更が可能であるか否かを判定する。判定の結果、帯域を変更できない場合には、基地局Ａ２ａに対する帯域変更要求を破棄する（ステップＳ６４）。
【００９１】
図１３に示す概要例では、基地局Ｂ２ｂが輻輳状態にあるので、基地局Ｂ２ｂに対する帯域変更要求が破棄される。これ以降は、基地局Ａ２ａおよび無線制御装置Ａ３ａと、基地局Ｃ２ｃおよび無線制御装置Ｃ３ｃに関する説明となる。
【００９２】
一方、帯域を変更できる場合には、自装置状態確認部２２は、無線端末アクセス部２１に帯域の変更が可能であることを通知する（ステップＳ６５）。無線端末アクセス部２１は、帯域の変更が可能であるという通知を受け取ると、無線端末１に、帯域変更可能な状態にあることを通知する（ステップＳ６６）。
【００９３】
無線端末１では、信号受信部１２は、基地局Ａ２ａからの通知を受信すると、周辺基地局リスト編集部１４に応答を受信したことを通知する（ステップＳ６７）。周辺基地局リスト編集部１４は、信号受信部１２からの通知を受け取ると、基地局Ａ２ａからの情報を編集し、周辺基地局リスト１５の帯域使用状況の情報１５４を作成（更新）する。
【００９４】
また、周辺基地局リスト編集部１４は、周辺基地局リスト１５の更新とともに、周辺基地局リスト１５から帯域変更を行う基地局として基地局Ａ２ａを選択する。そして、周辺基地局リスト編集部１４は、帯域変更部１８に基地局Ａ２ａの帯域を変更することを指示する（ステップＳ６８）。帯域変更部１８は、帯域の変更を指示された基地局Ａ２ａを介して無線制御装置Ａ３ａに対して使用帯域の変更を行う（ステップＳ６９）。実施の形態６によれば、実施の形態１と同様の効果が得られる。また、無線端末１の使用帯域を確実に変更することができる。
【００９５】
（実施の形態７）
実施の形態７は、実施の形態１において、最適なハンドオーバ先の基地局を選択するようにしたものである。図１５は、本発明の実施の形態７にかかる無線接続方式の構成を模式的に示す図である。図１５に示すように、実施の形態７は、実施の形態１において、無線端末１に電波状態監視部１９を追加したものである。電波状態監視部１９は、基地局との通信中にセルの電波状態を監視し、接続中の基地局から、適当な通信品質で通信可能な基地局に接続先を切り替える。その他の構成は、実施の形態１と同じであるので、同一の符号を付して説明を省略する。
【００９６】
次に、実施の形態７にかかる無線接続方式における呼接続動作について説明する。以下の説明では、実施の形態１と異なる動作についてのみ説明する。図１６は、実施の形態７の呼接続動作の概要を示す図である。図１６に示すように、無線端末１が接続先の基地局を変更する際には、無線端末１は、すべての周辺基地局、ここでは基地局Ａ２ａと基地局Ｂ２ｂと基地局Ｃ２ｃに接続開始要求を同報通知する（図１６の１．接続開始要求）。
【００９７】
基地局Ａ２ａ、基地局Ｂ２ｂおよび基地局Ｃ２ｃは、無線端末１からの要求を受信すると、それぞれの配下のセルが呼接続を受け付け可能であるか否かを判定する（図１６の２．受付可否判定）。実施の形態７では、基地局Ｂ２ｂが輻輳状態にあるため、基地局Ｂ２ｂでは接続を受け付けられない。基地局Ａ２ａと基地局Ｃ２ｃでは接続を受け付けられるので、基地局Ａ２ａおよび基地局Ｃ２ｃは、無線端末１に接続の受け付けが可能であるという接続開始応答を返す（図１６の３．接続開始応答）。
【００９８】
無線端末１は、基地局Ａ２ａおよび基地局Ｃ２ｃからの応答を受信する。無線端末１は、最初に応答のあった基地局を新たな接続先基地局として記憶する。実施の形態７では、基地局Ａ２ａからの接続開始応答が最初に無線端末１に通知されるとする。従って、無線端末１は、基地局Ａ２ａの接続開始応答を受信すると、基地局Ａ２ａを新たな接続先基地局に選択する（図１６の４．接続先基地局選択）。そして、無線端末１は、基地局Ａ２ａに対して呼接続を開始し、接続先基地局を変更する（図１６の５．呼接続動作）。
【００９９】
図１７は、実施の形態７の呼接続動作シーケンスを示す図である。ここでは、図１６に示す呼接続動作の概要例に沿って説明する。なお、図１７では、図が繁雑になるのを避けるため、基地局Ｂ２ｂ、基地局Ｃ２ｃ、無線制御装置Ｂ３ｂおよび無線制御装置Ｃ３ｃは省略されている。また、ここでは、基地局Ａ２ａおよび無線制御装置Ａ３ａについて説明するが、基地局Ｂ２ｂおよび無線制御装置Ｂ３ｂ、基地局Ｃ２ｃおよび無線制御装置Ｃ３ｃについても同様である。
【０１００】
図１７に示すように、無線端末１は、予め、自端末を制御する基地局Ａ２ａ、基地局Ｂ２ｂおよび基地局Ｃ２ｃを識別し、各基地局に関する情報を周辺基地局リスト１５（図１７では省略されている）として作成している。無線端末１の電波状態監視部１９は、基地局との通信中に、セルの電波状態を監視している。そして、電波状態監視部１９は、通信中の通信品質が低下したことを検知すると、同報通知部１１に、周辺基地局に対して接続開始要求を行うように指示する（ステップＳ７１）。
【０１０１】
同報通知部１１は、電波状態監視部１９からの指示を受け取ると、周辺基地局リスト１５を参照し、周辺基地局に接続開始要求を同報通知する（ステップＳ７２）。基地局Ａ２ａでは、無線端末アクセス部２１は、無線端末１からの接続開始要求を受信し、自装置状態確認部２２に自装置の状態を確認するように依頼する（ステップＳ７３）。自装置状態確認部２２は、その確認依頼を受け取ると、自装置およびその配下のセルにおいて呼接続を受け付け可能であるか否かを判定する。判定の結果、呼接続を受け付けられない場合には、基地局Ａ２ａに対する接続開始要求を破棄する（ステップＳ７４）。
【０１０２】
図１６に示す概要例では、基地局Ｂ２ｂが輻輳状態にあるので、基地局Ｂ２ｂに対する接続開始要求が破棄される。これ以降は、基地局Ａ２ａおよび無線制御装置Ａ３ａと、基地局Ｃ２ｃおよび無線制御装置Ｃ３ｃに関する説明となる。
【０１０３】
一方、呼接続を受け付けられる場合には、自装置状態確認部２２は、無線端末アクセス部２１に呼接続を受け付け可能であることを通知する（ステップＳ７５）。無線端末アクセス部２１は、呼接続を受け付け可能であるという通知を受け取ると、無線端末１に、接続開始応答により呼接続を受け付け可能な状態にあることを通知する（ステップＳ７６）。
【０１０４】
無線端末１では、信号受信部１２は、基地局Ａ２ａからの通知を受信すると、周辺基地局リスト編集部１４に応答を受信したことを通知する（ステップＳ７７）。周辺基地局リスト編集部１４は、信号受信部１２からの通知を受け取ると、基地局Ａ２ａからの情報を編集し、周辺基地局リスト１５の電波状況の情報１５３を更新する。また、周辺基地局リスト編集部１４は、周辺基地局リスト１５の更新とともに、周辺基地局リスト１５から新たな接続先となる基地局を選択する。ここでは、最初に応答のあった基地局Ａ２ａが選択される。
【０１０５】
そして、周辺基地局リスト編集部１４は、接続開始応答により電波状態監視部１９に新たな呼接続先が基地局Ａ２ａであることを通知する（ステップＳ７８）。電波状態監視部１９は、周辺基地局リスト編集部１４から通知された基地局Ａ２ａを介して無線制御装置Ａ３ａに向けて呼接続要求を送信し（ステップＳ７９）、基地局Ａ２ａに対する呼接続を開始する。実施の形態７によれば、実施の形態１と同様の効果が得られる。また、通信中に無線端末１が移動する場合に、最適なハンドオーバ先の基地局を選択して接続先を切り替えることができる。
【０１０６】
以上において本発明は、上述した実施の形態１〜７に限らず、種々変更可能である。また、上述した実施の形態１〜７のうち２以上の実施の形態を組み合わせてもよい。
【０１０７】
（付記１）無線端末と基地局を無線回線により相互に接続する無線接続方式において、
前記無線端末は、同無線端末に電波が届く範囲にある１以上の基地局について、同無線端末から発信された信号を受け付け可能な状態であるか否かという情報を記憶する周辺基地局リストと、
前記周辺基地局リストを更新する周辺基地局リスト編集部と、
を備えており、
前記無線端末は、前記周辺基地局リストに基づいて、同無線端末の発信信号を受け付け可能な状態にある基地局を選択し、その選択された基地局に対して接続を行うことを特徴とする無線接続方式。
【０１０８】
（付記２）前記無線端末は、複数の基地局に対して同時に信号を送信する同報通知部をさらに備えており、
前記無線端末は、前記同報通知部により、同時に複数の基地局に対して、同無線端末の発信信号を受け付け可能な状態にあるか否かを問い合わせることを特徴とする付記１に記載の無線接続方式。
【０１０９】
（付記３）前記無線端末は、前記同報通知部からの同報通知による基地局への問い合わせに対して、同無線端末の発信信号を受け付け可能な状態にあることを最初に応答してきた基地局を接続先に選択することを特徴とする付記２に記載の無線接続方式。
【０１１０】
（付記４）前記無線端末は、基地局への問い合わせに対する基地局からの応答を待つ時間を制御するタイマ制御部をさらに備えており、
前記無線端末は、前記同報通知部からの同報通知による基地局への問い合わせに対して、前記タイマ制御部により制御される所定の期間内に、同無線端末の発信信号を受け付け可能な状態にあることを応答してきた複数の基地局の中から、電波状態の良好な基地局を接続先に選択することを特徴とする付記２に記載の無線接続方式。
【０１１１】
（付記５）前記無線端末は、基地局ごとに同無線端末の発信信号を受け付け可能な状態にあるか否かを監視する基地局状態監視部をさらに備えており、
前記基地局状態監視部は、周期的に基地局に対して、同無線端末の発信信号を受け付け可能な状態にあるか否かを問い合わせ、その問い合わせに対する基地局からの応答に基づいて、前記周辺基地局リストを更新することを特徴とする付記１〜４のいずれか一つに記載の無線接続方式。
【０１１２】
（付記６）前記基地局側から、前記無線端末の発信信号を受け付け可能な状態にあるか否かを通知し、前記無線端末は、基地局から通知された情報に基づいて、前記周辺基地局リストを更新することを特徴とする付記１〜５のいずれか一つに記載の無線接続方式。
【０１１３】
（付記７）前記無線端末は、前記周辺基地局リストに基づいて、同無線端末の発信信号を受け付け可能な状態にある基地局を選択し、その選択された基地局に対してのみ、前記同報通知部により、同無線端末の発信信号を受け付け可能な状態にあるか否かを問い合わせることを特徴とする付記３または４に記載の無線接続方式。
【０１１４】
（付記８）前記無線端末は、使用する帯域の変更を行う帯域変更部をさらに備えており、前記帯域変更部は、基地局に対して、使用する帯域を変更可能な状態にあるか否かを問い合わせ、その問い合わせに対する基地局からの応答に基づいて、前記周辺基地局リストを更新するとともに、帯域を変更可能な状態にある基地局に対して帯域の変更を行うことを特徴とする付記１〜７のいずれか一つに記載の無線接続方式。
【０１１５】
（付記９）前記無線端末は、基地局との通信中にセルの電波状態を監視し、接続中の基地局から別の基地局に接続先を切り替える電波状態監視部をさらに備えており、
前記電波状態監視部は、基地局に対して、同無線端末の発信信号を受け付け可能な状態にあるか否かを問い合わせ、その問い合わせに対して、同無線端末の発信信号を受け付け可能な状態にあることを応答してきた基地局を選択し、その選択された基地局に対して新たに接続を行うことを特徴とする付記１〜８のいずれか一つに記載の無線接続方式。
【産業上の利用可能性】
【０１１６】
以上のように、本発明にかかる無線接続方式は、移動体通信技術に有用であり、特に、セルラー方式の携帯電話システムに適している。
【図面の簡単な説明】
【０１１７】
【図１】実施の形態１にかかる無線接続方式の構成を模式的に示す図である。
【図２】実施の形態１にかかる無線接続方式における移動無線網の構成例を示す図である。
【図３】実施の形態１の呼接続動作の概要を示す図である。
【図４】実施の形態１の呼接続動作シーケンスを示す図である。
【図５】実施の形態２にかかる無線接続方式の無線端末の構成を模式的に示す図である。
【図６】実施の形態２の呼接続動作シーケンスを示す図である。
【図７】実施の形態３にかかる無線接続方式の無線端末の構成を模式的に示す図である。
【図８】実施の形態３の呼接続動作の概要を示す図である。
【図９】実施の形態３の呼接続動作シーケンスを示す図である。
【図１０】実施の形態４の呼接続動作の概要を示す図である。
【図１１】実施の形態５の呼接続動作の概要を示す図である。
【図１２】実施の形態６にかかる無線接続方式の無線端末の構成を模式的に示す図である。
【図１３】実施の形態６の帯域変更動作の概要を示す図である。
【図１４】実施の形態６の帯域変更動作シーケンスを示す図である。
【図１５】実施の形態７にかかる無線接続方式の無線端末の構成を模式的に示す図である。
【図１６】実施の形態７の呼接続動作の概要を示す図である。
【図１７】実施の形態７の呼接続動作シーケンスを示す図である。
【符号の説明】
【０１１８】
１  無線端末
２，２ａ，２ｂ，２ｃ  基地局
１１  同報通知部
１４  周辺基地局リスト編集部
１５  周辺基地局リスト
１６  タイマ制御部
１７  基地局状態監視部
１８  帯域変更部
１９  電波状態監視部
１５２  受付可否の情報
【図１】
2007096522.tif 000003
【図２】
2007096522.tif 000004
【図３】
2007096522.tif 000005
【図４】
2007096522.tif 000006
【図５】
2007096522.tif 000007
【図６】
2007096522.tif 000008
【図７】
2007096522.tif 000009
【図８】
2007096522.tif 000010
【図９】
2007096522.tif 000011
【図１０】
2007096522.tif 000012
【図１１】
2007096522.tif 000013
【図１２】
2007096522.tif 000014
【図１３】
2007096522.tif 000015
【図１４】
2007096522.tif 000016
【図１５】
2007096522.tif 000017
【図１６】
2007096522.tif 000018
【図１７】
2007096522.tif 000019